(57)【特許請求の範囲】
【請求項１】
ディスクの位置決めを実施する位置決めユニットと、
上記位置決めユニットにより位置決めされたディスクにクランプ動作を実施するクランパユニットと、
ピックアップ及びターンテーブルを備え、上記クランパユニットにより上記ターンテーブルにクランプされたディスクを回転させて、このディスクから上記ピックアップにより情報を取り出すドライブユニットと、を有するディスクプレーヤであって、
上記位置決めユニットと上記クランパユニットとは、別体に設けられて、上記ドライブユニットに対しほぼ垂直に移動可能に構成されたことを特徴とするディスクプレーヤ。
【請求項２】
上記位置決めユニットが備えるステッププレート及び上記クランパユニットが備えるクランププレートは、上記ドライブユニットが備えるドライブプレートに対し平行移動可能なカムプレートのカム溝に係合され、このカムプレートの移動により、上記ドライブプレートに対し垂直移動可能に構成されたことを特徴とする請求の範囲第１項に記載のディスクプレーヤ。
【請求項３】
上記ステッププレート及び上記クランププレートは、カムプレートの移動によりドライブプレートに対し同期して垂直移動可能に構成されたことを特徴とする請求の範囲第２項に記載のディスクプレーヤ。
【請求項４】
上記ステッププレート及び上記クランププレートに設けられて、カムプレートのカム溝に係合される係合部材は、曲げ起こしにより一体成形された係合爪であることを特徴とする請求の範囲第２項または第３項に記載のディスクプレーヤ。
【請求項５】
上記ステッププレート、上記クランププレートのそれぞれの係合爪は、成形時に曲げ起こしにより一体成形されたことを特徴とする請求の範囲第２項乃至第４項のいずれかに記載のディスクプレーヤ。
【請求項６】
上記位置決めユニットは、大きさの異なる複数種類のディスクを位置決め可能に構成されたことを特徴とする請求の範囲第１項乃至第５項のいずれかに記載のディスクプレーヤ。
【請求項７】
上記位置決めユニットはステッププレートと、このステッププレートに回動自在に設けられて、一端にディスクを保持可能なディスクストッパを備えたＧプレートと、上記ステッププレートに回動自在に設けられて、一端がディスクに係止可能なアームロッドを備えたセンサアームとを有し、
これらのＧプレート及びセンサアームの他端が、直径の異なる複数のディスクに対応してそれらの係合位置を変更可能に設けられ、これらのディスクを位置決め可能とするよう構成されたことを特徴とする請求の範囲第１項乃至第６項のいずれかに記載のディスクプレーヤ。
【請求項８】
上記位置決めユニットとクランパユニットの移動量が異なって設定されたことを特徴とする請求の範囲第１項乃至第７項のいずれかに記載のディスクプレーヤ。
【請求項９】
上記クランパユニットの移動量が、位置決めユニットの移動量よりも大きく設定されたことを特徴とする請求の範囲第８項に記載のディスクプレーヤ。
【請求項１０】
上記位置決めユニットは、防振ストロークを確保可能に移動量が設定され、また、上記クランパユニットは、上記防振ストロークを確保可能とするとともに、ディスクをターンテーブルにクランプ可能とするクランパリングとのクリアランスを確保可能に移動量が設定されたことを特徴とする請求の範囲第８項または第９項に記載のディスクプレーヤ。
【発明の詳細な説明】
技術分野
本発明は、車両に搭載されて、ＣＤ（コンパクトディスク）等の記録媒体ディスクの情報を再生するディスクプレーヤに関する。
車両に搭載されるＣＤプレーヤ等の従来のディスクプレーヤでは、ピックアップ及びターンテーブルが配置されたドライブプレートに、ディスクを所定位置まで案内して位置決めし、且つこのディスクを上記ターンテーブルにクランプさせるためのクランパが、クランプアームの回動により、上記動作を実行し得るよう構成されたものがある。
ところが、このようなディスクプレーヤでは、ディスクをドライブプレートに対し垂直方向に所定量移動させるためには、ディスクプレーヤの高さ方向の範囲内で回動する上記クランプアームの回動量（回動角度）が大きくなってしまう。このため、ディスクプレーヤの薄型化を実現することができない。
本発明の目的は、上述の事情を考慮してなされたものであり、薄型化を実現できるディスクプレーヤを提供することにある。
発明の開示
本発明は、ディスクの位置決めを実施する位置決めユニットと、上記位置決めユニットにより位置決めされたディスクにクランプ動作を実施するクランパユニットと、ピックアップ及びターンテーブルを備え、上記クランパユニットにより上記ターンテーブルにクランプされたディスクを回転させて、このディスクから上記ピックアップにより情報を取り出すドライブユニットと、を有するディスクプレーヤであって、上記位置決めユニットと上記クランパユニットとは、別体に設けられて、上記ドライブユニットに対しほぼ垂直に移動可能に構成されたことを特徴とするものである。
また、本発明は、上記発明において、位置決めユニットが備えるステッププレート及び上記クランパユニットが備えるクランププレートは、上記ドライブユニットが備えるドライブプレートに対し平行移動可能なカムプレートのカム溝に係合され、このカムプレートの移動により、上記ドライブプレートに対し垂直移動可能に構成されたことを特徴とするものである。
また、本発明は、上記発明において、ステッププレート及びクランププレートは、カムプレートの移動によりドライブプレートに対し同期して垂直移動可能に構成されたことを特徴とするものである。
更に、本発明は、上記発明において、ステッププレート及びクランププレートに設けられて、カムプレートのカム溝に係合される係合部材は、曲げ起こしにより一体成形された係合爪であることを特徴とするものである。
また、本発明は、上記発明において、ステッププレート、クランププレートのそれぞれの係合爪は、成形時に曲げ起こしにより一体成形されたことを特徴とするものである。
また、本発明は、上記発明において、位置決めユニットは、大きさの異なる複数種類のディスクを位置決め可能に構成されたことを特徴とするものである。
更に、本発明は、上記発明において、位置決めユニットはステッププレートと、このステッププレートに回動自在に設けられて、一端にディスクを保持可能なディスクストッパを備えたＧプレートと、上記ステッププレートに回動自在に設けられて、一端がディスクに係止可能なアームロッドを備えたセンサアームとを有し、これらのＧプレート及びセンサアームの他端が、直径の異なる複数のディスクに対応してそれらの係合位置を変更可能に設けられ、これらのディスクを位置決め可能とするよう構成されたことを特徴とするものである。
また、本発明は、上記発明において、位置決めユニットとクランパユニットの移動量が異なって設定されたことを特徴とするものである。
また、本発明は、上記発明において、クランパユニットの移動量が、位置決めユニットの移動量よりも大きく設定されたことを特徴とするものである。
更に、本発明は、上記発明において、位置決めユニットは、防振ストロークを確保可能に移動量が設定され、また、上記クランパユニットは、上記防振ストロークを確保可能とするとともに、ディスクをターンテーブルにクランプ可能とするクランパリングとのクリアランスを確保可能に移動量が設定されたことを特徴とするものである。
本発明によれば、ステッププレートとクランププレートがドライブプレートに対し垂直に移動可能に構成されたことから、ディスクをターンテーブルにクランプするためのクランパを、クランプアームの回動によりターンテーブルに対し移動する場合や、ステッププレート及びクランププレートが一体となって回動する場合に比べ、ステッププレート及びクランププレートの移動量を低減できるので、ディスクプレーヤの薄型化を実現できる。
また、本発明によれば、ステッププレートとクランププレートとが別体に設けられたことから、両プレートで移動量を異ならせて設定できる。つまり、ステッププレートは防振ストロークを確保するための移動量に設定でき、また、クランププレートは、上記防振ストロークを確保するとともに、クランパリングとのクリアランスを確保するための移動量に設定できる。
また、本発明によれば、ステッププレート及びクランププレートに設けられて、カムプレートのカム溝に係合可能な係合部材が、曲げ起こしにより一体成形された係合爪であることから、上記係合部材をかしめピンにより構成する場合に比べ、ステッププレート、クランププレートの構造を簡略化でき、ひいては、ディスクプレーヤの構造を簡略化できる。
発明を実施するための最良の形態
以下、本発明の実施の形態を、図面に基づき説明する。
第１Ａ図に示すディスクプレーヤは、ＣＤ（コンパクトディスク）、ＤＶＤ（デジタル・バーサタイル・ディスク）等の記録媒体ディスク１に記録された情報を再生するものであり、プレーヤ本体１１及びシャーシユニット１２を有して構成される。更に、プレーヤ本体１１は、第５Ａ図にも示すように、ローディングユニット１３、位置決めユニット１４、クランパユニット１５及びドライブユニット１６を有して構成される。
シャーシユニット１２は、図示しないダンパ及びバネを備えた防振構造体をシャーシ１７に有し、この防振構造体を介してプレーヤ本体１１がシャーシ１７にフローティング支持可能とされる。
上記プレーヤ本体１１のドライブユニット１６は、第５Ａ図及び第６図に示すように、ドライブプレート１８の表面中央にターンテーブル１９が、裏面中央にスピンドルモータ２０がそれぞれ配置され、このスピンドルモータ２０がターンテーブル１９を回転させる。また、ドライブプレート１８には、図示しないピックアップが設置されて、後述の如くターンテーブル１９にクランプされて回転するディスク１から情報を取り出し再生する。
また、ドライブユニット１６の左右両側には側壁２１が一体成形され、この側壁２１に上下方向（ドライブプレート１８に対し垂直方向）に延びる縦溝２２（第５Ａ図）が形成されている。更に、ドライブユニット１６の前方部にはアッパプレート２３（第１Ａ図）が固定して設置され、このアッパプレート２３に、使用者により挿入されたディスク１を検出するディスクセンサ２４が取り付けられる。
更に、ドライブユニット１６の両側壁２１には、第５Ａ図〜第５Ｃ図及び第６図に示すように、Ｒカムプレート２５ＲとＬカムプレート２５Ｌとがディスクプレーヤ１０の前後方向で、ドライブプレート１８に対し平行に移動可能にそれぞれ配設されている。これらのＲカムプレート２５Ｒ及びＬカムプレート２５Ｌには、第５Ａ図〜第５Ｃ図並びに第８Ａ図及び第８Ｂ図に示すように、カム溝２６Ａ、２６Ｂ及び２６Ｃが傾斜して形成されている。
また、Ｒカムプレート２５Ｒ及びＬカムプレート２５Ｌは、クランク形状に折り曲げられたクランクシャフト２７及びローディングプレート（後述）により連結される。このクランクシャフト２７により、Ｒカムプレート２５Ｒの前後方向移動がＬカムプレート２５Ｌに伝達されて、Ｌカムプレート２５Ｌ及びＲカムプレート２５Ｒが同期して移動可能に構成される。
第６図に示すように、ドライブプレート１８の裏面におけるＲカムプレート２５Ｒ側には、ローディングモータ２８、ギア輪列２９及びトリガーラック３０が配置される。また、ドライブプレート１８の表面でトリガーラック３０に対応する位置に、Ｓアームストッパ４０が配置される。
トリガーラック３０は、ディスクプレーヤ１０の前後方向に移動可能に設けられ、ドライブプレート１８との間に懸架された引張りコイルばね３０Ａにより、常時後方に付勢されている。このトリガーラック３０は、第９Ａ図〜第９Ｄ図に示すように、この移動方向に対し傾斜するトリガー溝４２及びラック４３を備える。また、Ｓアームストッパ４０は、ドライブユニット１６に植設されたピン４０Ａ（第１Ｂ図）にその長穴が挿入されることにより、ディスクプレーヤ１０の前後方向に移動可能、且つ回動可能に設けられる。更に、このＳアームストッパ４０はロックピン４４を備える。
第６図に示すギア輪列２９は、ローディングモータ２８のシャフトに結合された第１ギア３１と、この第１ギア３１に噛み合う第２ギア３２と、相互に噛み合う第３ギア３３、第４ギア３４、第５ギア３５、第６ギア３６及び第７ギア３７と、相互に噛み合うアイドルギア３８及びファイナルギア３９と、を有して構成される。第２ギア３２が第３ギア３３及びアイドルギア３８に噛み合う。
第７ギア３７は、後述のローディングローラ４１に結合される。また、ファイナルギア３９は、第６図及び第９Ａ図〜第９Ｄ図に示すように、トリガーラック３０のラック４３と、Ｒカムプレート２５Ｒのラック４５とに噛み合い可能に構成される。このラック４５は、Ｒカムプレート２５Ｒにおいてドライブプレート１８の裏面側に延在する駆動片４６に形成される。
このＲカムプレート２５Ｒのラック４５は、ロック機構４７のロック動作によって、ファイナルギア３９と不必要に噛み合わないよう構成されている。
つまり、このロック機構４７は、第９Ａ図に示すように、ドライブプレート１８に形成されたカギ状穴４８と、Ｒカムプレート２５Ｒの駆動片４６に形成された長穴４９と、上述のトリガーラック３０のトリガー溝４２と、Ｓアームストッパ４０のロックピン４４とを有して構成される。カギ状穴４８は、ドライブプレート１８の前後方向に延びる第１穴５１と、この第１穴５１に直交する第２穴５２とを有してなる。また、長穴４９は第２穴５２に平行して延びる。ロックピン４４は、これらのカギ状穴４８、長穴４９及びトリガー溝４２に嵌合されている。
ディスクプレーヤ１０のプレーヤ本体１１にディスク１が挿入されていない状態では、第９Ａ図に示すように、ロックピン４４がカギ状穴４８の第２穴５２に係合されているため、Ｒカムプレート２５Ｒはディスクプレーヤ１０の前後方向への移動が阻止される。これにより、プレーヤ本体１１に落下衝撃等のような不用意な衝撃力が作用した時にも、ファイナルギア３９がＲカムプレート２５Ｒのラック４５に噛み合うことが阻止される。
上述のロック機構４７によるロック動作の解除は、次のようにしてなされる。
つまり、トリガーラック３０が後述のセンサアーム５７によりディスクプレーヤ１０の前方へ押圧されて、引張りコイルばね３０Ａの付勢力に抗して前方移動すると、第９Ｂ図に示すように、このトリガーラック３０のラック４３がファイナルギア３９と噛み合って、トリガーラック３０がローディングモータ２８の駆動力によりディスクプレーヤ１０の前方へ更に移動する。すると、トリガーラック３０のトリガー溝４２がロックピン４４を、カギ状穴４８の第２穴５２から第１穴５１側へ移動させる。これにより、ロック機構４７のロック動作が解除され、その後、トリガーラック３０が、ロックピン４４を介して更にＲカムプレート２５Ｒを押すことにより、第９Ｃ図に示すように、Ｒカムプレート２５Ｒのラック４５がファイナルギア３９と噛み合い、Ｒカムプレート２５Ｒがディスクプレーヤ１０の前方へ移動する（第９Ｄ図）。このとき、ロックピン４４は、カギ状穴４８の第１穴５１内を移動する。
ところで、前記ローディングユニット１３は、第５Ａ図〜第５Ｃ図及び第６図に示すように、ローディングローラ４１及び図示しないローディングプレートを有して構成される。このローディングプレートはアッパプレート２３（第１Ａ図）に枢支されると共に、ローディングローラ４１を回動自在に軸支する。ローディングローラ４１の軸は、一端が、Ｒカムプレート２５Ｒのカム溝２６Ａに係合され、他端が、ドライブプレート１８の側壁２１に形成された長孔に係合されている。
また、上記ローディングプレートは、ばね力によりローディングローラ４１をディスク１に押圧させる。そして、ローディングローラ４１には、第６図のローディングモータ２８の駆動力が、ギア輪列２９の第１ギア３１〜第７ギア３７を経て伝達される。従って、ディスクセンサ２４がディスク１を検出してローディングモータ２８が作動すると、ローディングローラ４１が回転してディスク１をプレーヤ本体１１内へ引き込み搬送する。
第５Ｃ図に示すように、Ｒカムプレート２５Ｒ及びＬカムプレート２５Ｌがディスクプレーヤ１０の前方へ移動した時には、ローディングローラ４１の軸がＲカムプレート２５Ｒのカム溝２６Ａに沿って下降し、ローディングローラ４１がディスク１から離れて、ディスク１の引き込み搬送が停止される。このときには、上記ローディングプレートが所定の枢支点（図示せず）を中心に回転して、このローディングプレートとシャーシ１７の突起（不図示）との当接が解除されて、プレーヤ本体１１はシャーシ１７にフローティング支持される。
前記位置決めユニット１４は、第１Ａ図及び第５Ａ図に示すように、ステッププレート５４、ディスクストッパ５５、Ｇプレート５６及びセンサアーム５７を有してなり、大径又は小径のディスク１におけるセンターホール２の中心（すなわちディスク１の中心）がターンテーブル１９（第５Ａ図〜第５Ｃ図）の中心と一致するように、ディスク１の位置決めを実行する。
ステッププレート５４には、ディスクプレーヤ１０の左右方向両側に係合爪５８が配設されている。この係合爪５８は、第７図に示すように、ステッププレート５４の成形時に曲げ起こされて形成されたものである。この係合爪５８が第５Ａ図〜第５Ｃ図に示すように、ドライブプレート１８の側壁２１における縦溝２２と、Ｒカムプレート２５Ｒ及びＬカムプレート２５Ｌのカム溝２６Ｂに係合する。従って、Ｒカムプレート２５Ｒ及びＬカムプレート２５Ｌがディスクプレーヤ１０の前後方向へ移動すると、係合爪５８がドライブプレート１８の縦溝２２に沿って、ドライブプレート１８に対し垂直方向に移動可能、つまり昇降可能に構成される。
ステッププレート５４の下降により、位置決めユニット１４とシャーシ１７との間に防振ストロークＬが確保される。また、ステッププレート５４の上昇により、ディスク１がドライブユニット１６のターンテーブル１９を越えてプレーヤ本体１１内へ引き込まれることが可能となる。
ディスクストッパ５５は、第５Ａ図に示すように、プレーヤ本体１１内に引き込まれたディスク１を収容するように断面コ字形状に形成される。更にこのディスクストッパ５５は、第１Ａ図に示すように、ステッププレート５４に係合して、ディスクプレーヤ１０の前後方向に移動可能に設けられ、ローディングローラ４１によりプレーヤ本体１１内に引き込み搬送されるディスク１を所定の位置に位置決めする。
このディスクストパ５５は、後述のＧプレート５６及びセンサアーム５７の機能により、第１Ａ図に示す初期位置から、ディスク１のセンタホール２の中心とターンテーブル１９の中心とを一致させる第２Ａ図及び第３Ａ図に示す位置決め位置と、ターンテーブル１９にクランプされチャッキングされたディスク１から当該ディスクストッパ５５が離間する第４Ａ図に示す退避位置とに位置付けられる。
Ｇプレート５６は、ステッププレート５４に植設されたピン５６Ａに回動可能に枢支され、一端部にディスクストッパ５５が取り付けられる。また、このＧプレート５６の他端部に開口５９が設けられ、この開口５９にＡ穴６０Ａ及びＢ穴６０Ｂが形成されている。
センサアーム５７は、ディスクプレーヤ１０の前後方向に微少移動し得るようにステッププレート５４に回動可能に枢支される。即ち、ステッププレート５４植設されたピン５４Ａに、センサアーム５７に形成された長穴５７Ａが挿入される。このセンサアーム５７の先端部にアームロッド６１が植設され、他端部にボス６２が形成される。このボス６２は、Ｇプレート５６の開口５９内に位置付けられる。また、センサアーム５７のアームロッド６１近傍に、後述のクランププレート６６の停止溝７０に噛み合い可能な停止爪６３が形成される。
Ｇプレート５６とセンサアーム５７とは、それらの間に張架された引張りコイルばね５６Ｂにより、反時計方向α、時計方向βにそれぞれ付勢されている。
アームロッド６１は、小径のディスク１（例えば８ｃｍＣＤ）がプレーヤ本体１１内に引き込まれる場合、ディスク１の挿入位置によっては、当初このディスク１に当接する場合があるが、当接してもこのディスク１を引き込みセンタリングする過程で、このディスク１に当接しなくなる。従って、この場合には、センサアーム５７のボス６２が、Ｇプレート５６のＡ穴６０Ａに係合されたままの状態で、停止爪６３が停止溝７０に嵌合する。これによりＧプレート５６の回動が阻止され、ディスクストッパ５５が小径のディスク１を位置決めする位置に位置付けられる。
また、大径のディスク１（例えば１２ｃｍＣＤ）がプレーヤ本体１１内に引き込まれた場合には、このディスク１がセンサアーム５７のアームロッド６１に当接して、ディスク１の引き込み動作に伴いセンサアーム５７が外方へ回動する。これにより、センサアーム５７のボス６２とＧプレート５６のＡ穴６０Ａとの係合が外れる。そして、ディスク１がディスクストッパ５５を、引張りコイルばね５６Ｂの引張力に抗してディスクプレーヤ１０の後方へ押すことにより、Ｇプレート５６が回動し、センサアーム５７のボス６２は、Ｇプレート５６の開口５９内をディスクプレーヤ１０の後方へ移動する。
このように、ディスク１がディスクプレーヤ１０の後方へ移動すると、このディスク１がセンサアーム５７のアームロッド６１から離れる。これにより、センサアーム５７のボス６２が、引張りコイルばね５６Ｂの引張力によってＧプレート５６のＢ穴６０Ｂに係合する。ディスク１がディスクプレーヤ１０の後方へ更に移動すると、引張りコイルばね５６Ｂの引張力に抗してＧプレート５６が微小回動し、この回動力がボス６２を介して、センサアーム５７をディスクプレーヤ１０の前方へ移動させる。このセンサアーム５７の移動中に、センサアーム５７の停止爪６３がクランププレート６６の停止溝７０に係止した段階で、Ｇプレート５６の回動が停止され、第２Ａ図に示すように、ディスクストッパ５５が大径のディスク１を位置決めする位置に位置付けられる。
実際には、センサアーム５７のボス６２がＧプレート５６のＢ穴６０Ｂに係合した段階からのディスク１の引き込み動作により、Ｇプレート５６が更に微少回動して、センサアーム５７がディスクプレーヤ１０の前方へ微少移動すると、このセンサアーム５７のセンサアーム押圧爪６４がトリガーラック３０のトリガーラック受圧部６５を押圧して、このトリガーラック３０をディスクプレーヤ１０の前方へ微少移動させる。これにより、トリガーラック３０のラック４３がファイナルギア３９と噛み合うためのきっかけが与えられる。
前記クランパユニット１５は、第１Ａ図及び第５Ａ図〜第５Ｃ図に示すように、クランププレート６６、クランプリング６７及びクランプスプリング６８を有してなり、位置決めユニット１４により位置決めされたディスク１を、ドライブユニット１６のターンテーブル１９にクランプさせる。
クランププレート６６は、第７図に示すように、位置決めユニット１４のステッププレート５４と別体であり、このクランププレート６６には、ステッププレート５４と同様に、ディスクプレーヤ１０の左右方向両側に係合爪６９が配設されている。この係合爪６９は、板金からクランププレート６６を成形する際に曲げ起こされて形成されたものである。この係合爪６９が第５Ａ図〜第５Ｃ図に示すように、ドライブプレート１８の側壁２１における縦溝２２と、Ｒカムプレート２５Ｒ及びＬカムプレート２５Ｌのカム溝２６Ｃ（第８Ａ図及び第８Ｂ図参照）に係合される。従って、Ｒカムプレート２５Ｒ及びＬカムプレート２５Ｌがディスクプレーヤ１０の前後方向へ移動すると、係合爪６９がドライブプレート１８の縦溝２２に沿ってドライブプレート１８に対し垂直方向に移動可能、つまり昇降可能に構成される。
このクランププレート６６の昇降は、位置決めユニット１４のステッププレート５４の昇降と同期して実行されるが、ステッププレート５４の昇降ストローク（つまり防振ストロークＬ）よりも大きなストロークＭに設定される。例えば、ステッププレート５４の昇降ストロークが２．５ｍｍに、クランププレート６６の昇降ストロークが４．５ｍｍにそれぞれ設定される。
上記クランププレート６６のストロークＭは下記の基準に基づき設定される。つまり、クランププレート６６の最上昇位置（第５Ａ図）で、ディスク１がドライブユニット１６のターンテーブル１９を越えてドライブユニット１６内へ引き込み可能とされること。また、クランププレート６６の最下降位置（第５Ｃ図）で、クランパユニット１５とシャーシ１７との間に防振ストロークＬが充分に確保されると共に、クランプリング６７がディスク１をターンテーブル１９にクランプさせたとき、クランプリング６７とクランププレート６６との間にクリアランスＴが設定されること。
クランプリング６７は、クランププレート６６に対し回転自在に配設され、クランプスプリング６８のばね力によりクランププレート６６に押圧されるが、クランププレート６６が最下降位置まで下降してディスク１をターンテーブル１９にクランプしたときには、上述のように、クランププレート６６から離間してクリアランスＴが設けられる。このクランプリング６７によるディスク１のクランプ時には、クランプスプリング６８のばね力と、ターンテーブル１９に内蔵された磁石７１の吸引力とがクランプリング６７に作用し、これらの力によりディスク１がターンテーブル１９にクランプされる。
次に、上述のように構成されたディスクプレーヤ１０の記録再生に至るまでの動作を、以下の（１）〜（４）に説明する。
（１）、第１Ａ図に示すように、ディスク１が挿入され、ディスクセンサ２４がこのディスク１を検出すると、ローディングモータ２８が作動してローディングローラ４１が回転し、ディスク１をプレーヤ本体１１内へ引き込み搬送する。このとき、ディスクストッパ５５は初期位置にある。
（２）、プレーヤ本体１１に引き込まれたディスク１は、ディスクストッパ５５に当接して前後方向に水平移動する。このとき、ディスク１が大径の１２ｃｍＣＤの場合には、センサアーム５７が回動し、このセンサアーム５７のボス６２がＧプレート５６のＡ穴６０Ａから外れ、ディスクストッパ５５は１２ｃｍＣＤの位置決め位置へ移動可能となる。
第２Ａ図に示すように、ディスクストッパ５５が１２ｃｍＣＤの位置決め位置に移動すると、ディスク１がセンサアーム５７のアームロッド６１から外れ、ばね５６Ｂの引張力によりセンサアーム５７が時計方向βに回動して、センサアーム５７のボス６２がＧプレート５６のＢ穴６０Ｂに係合する。ディスク１がローディングローラ４１により更に引き込まれることによって、センサアーム５７の停止爪６３がクランププレート６６の停止溝７０に係止されるところまで、センサアーム５７はディスクプレーヤ１０の前方へ水平移動する。このとき、ディスクストッパ５５は位置決め位置に位置付けられる。
（３）、第９Ａ図に示すように、センサアーム５７が上述のように前方へ移動することにより、センサアーム５７のセンサアーム押圧爪６４（第２Ａ図）がトリガーラック３０のトリガーラック受圧部６５（第２Ｂ図）を押圧して、このトリガーラック３０が引張りコイルばね３０Ａの付勢力に抗して前方へ移動し、トリガーラック３０のラック４３がファイナルギア３９に噛み合う。
第３Ａ図及び第３Ｂ図並びに第９Ｂ図に示すように、トリガーラック３０のラック４３とファイナルギア３９とが噛み合うと、トリガーラック３０がローディングモータ２８の駆動力を得てディスクプレーヤ１０の前方へ更に水平移動し、Ｓアームストッパ４０のロックピン４４がカギ状穴４８の第２穴５２から外れてロック機構４７のロック動作が解除される。このとき、Ｓアームストッパ４０は回動して、移動したセンサアーム５７の軌跡に入り、このセンサアーム５７の戻りを防止する。
第９Ｃ図に示すように、トリガーラック３０が前進して、このトリガーラック３０のラック４３とＲカムプレート２５Ｒのラック４５との位相が一致すると、更にトリガーラック３０のトリガー溝４２がロックピン４４及び長穴４９を介して駆動片６６を押し、ラック４３とラック４５の位相が一致したまま、ラック４５がファイナルギア３９に噛み合い、Ｒカムプレート２５Ｒがトリガーラック３０と共にディスクプレーヤ１０の前方へ水平移動する。このＲカムプレート２５Ｒの水平移動は、第５Ａ図〜第５Ｃ図並びに第８Ａ図及び第８Ｂ図に示すクランクシャフト２７及びローディングプレートによりＬカムプレート２５Ｌへ伝達され、Ｒカムプレート２５Ｒ及びＬカムプレート２５Ｌは同期して水平移動する。
第５Ｂ図に示すように、Ｒカムプレート２５Ｒ及びＬカムプレート２５Ｌがディスクプレーヤ１０の前方へ移動すると、これらのＲカムプレート２５Ｒ及びＬカムプレート２５Ｌのカム溝２６Ｂ及び２６Ｃの作用で、ステッププレート５４及びクランププレート６６が下降する。同様に、カム溝２６Ａの作用でローディングアーム（不図示）が回動し、ローディングローラ４１がディスク１から離間する。
第５Ｃ図に示すように、ステッププレート５４及びクランププレート６６が最下降位置まで下降すると、クランプリング６７が、クランプスプリング６８の付勢力及び磁石７１の吸引力によって、ディスク１をターンテーブル１９にクランプさせる。このように、クランプリング６７がディスク１をターンテーブル１９にクランプするときにも、ディスクストッパ５５は位置決め位置に位置付けられる。
（４）、ステッププレート５４及びクランププレート６６が最下降位置まで下降した時には、第３Ａ図に示すセンサアーム５７の停止爪６３とクランププレート６６の停止溝７０との係合が解除される。
第４Ａ図及び第９Ｄ図に示すように、ローディングモータ２８の回動力は、ファイナルギア３９及びＲカムプレート２５Ｒのラック４５を介してこのＲカムプレート２５Ｒへ伝達され、Ｒカムプレート２５Ｒ及びＬカムプレート２５Ｌをディスクプレーヤ１０の前方へ移動させる。このＲカムプレート２５Ｒの最前方位置近傍で、ロックピン４４がＳアームストッパ４０を押し、このＳアームストッパ４０をディスクプレーヤ１０の前方へ移動させる。
これにより、第４Ｂ図に示すＳアームストッパ４０のＳアームストッパ押圧部７２がセンサアーム５７のセンサアーム受圧部７３をディスクプレーヤ１０の前方へ押圧する。このとき、センサアーム５７の停止爪６３がクランププレート６６の停止溝７０から外れていることから、センサアーム５７が更にディスクプレーヤ１０の前方へ微少移動してＧプレート５６が回動し、ディスクストッパ５５がディスク１から強制的に離間される。この結果、ディスク１がディスクストッパ５５に接触することなく回転可能となる。
なお、上述のようなディスクプレーヤ１０の動作説明の（２）において、ディスク１が小径の８ｃｍＣＤの場合には、センサアーム５７のボス６２がＧプレート５６のＡ穴６０Ａに係合保持される。この状態で、この小径のディクス１がローディングローラ４１により引き込まれて、センサアーム５７の停止爪６３がクランププレート６６の停止溝７０に係止されるところまで、センサアーム５７はディスクプレーヤ１０の前方へ水平移動して、ディスクストッパ５５が位置決め位置に位置付けられる。その後の動作に関しては、上記動作説明（３）及び（４）と同様である。
従って、上記実施の形態によれば、次の効果▲１▼〜▲３▼を奏する。
▲１▼ステッププレート５４とクランププレート６６がドライブプレート１８に対し垂直に移動可能（昇降可能）に構成されたことから、従来技術のように、ディスクをターンテーブルにクランプするためのクランパを、クランプアームの回動によりターンテーブルに対して移動する場合や、ステッププレート５４及びクランププレート６６が一体となって回動する場合に比べ、ステッププレート５４及びクランププレート６６の移動量を低減できるので、ディスクプレーヤ１０の薄型化を実現できる。
▲２▼ステッププレート５４とクランププレート６６とが別体に設けられたことから、ステッププレート５４及びクランププレート６６で移動量を異ならせて設定できる。つまり、ステッププレート５４は防振ストロークＬを確保するための移動量に設定でき、また、クランププレート６６は、上記防振ストロークＬを確保するとともに、クランプリング６７とのクリアランスを確保するための移動量にそれぞれ設定できる。
▲３▼ステッププレート５４及びクランププレート６６に設けられて、Ｒカムプレート２５Ｒ、Ｌカムプレート２５Ｌのカム溝２６に係合可能な係合部材が、ステッププレート５４、クランププレート６６の成形時に曲げ起こしにより一体成形された係合爪５８、６９であることから、上記係合部材をかしめピンにより構成する場合に比べ、ステッププレート５４及びクランププレート６６の構成を簡略化でき、ひいては、ディスクプレーヤ１０の構成を簡略化できる。
産業上の利用可能性
以上のように、本発明は、ディスクの位置決めを実施する位置決めユニットと、この位置決めユニットにより位置決めされたディスクにクランプ動作を実施するクランプユニットとが別体に設けられたものであるため、再生専用のディスクプレーヤのみならず、情報の記録と再生をともに実施できるディスクプレーヤにも適用できる。
【図面の簡単な説明】
第１Ａ図は、本発明に係るディスクプレーヤの一実施の形態において、ディスクストッパが初期位置にあるときの上記ディスクプレーヤの初期状態を示す平面図であり、第１Ｂ図は、第１Ａ図のトリガーラック及びＳアームストッパ等を示す平面図である。
第２Ａ図は、第１Ａ図のディスクプレーヤにおいて、ディスクストッパが位置決め位置にあるときの上記ディスクプレーヤのディスク位置決め状態を示す平面図であり、第２Ｂ図は、第２Ａ図のトリガーラック及びＳアームストッパ等を示す平面図である。
第３Ａ図は、第１Ａ図のディスクプレーヤにおいて、ディスクストッパが位置決め位置にあるときの上記ディスクプレーヤのディスクチャッキング状態を示す平面図であり、第３Ｂ図は、第３Ａ図のトリガーラック及びＳアームストッパ等を示す平面図である。
第４Ａ図は、第１Ａ図のディスクプレーヤにおいて、ディスクストッパが退避位置にあるときの上記ディスクプレーヤのセンタリング完了状態を示す平面図であり、第４Ｂ図は、第４Ａ図のトリガーラック及びＳアームストッパ等を示す平面図である。
第５Ａ図、第５Ｂ図、第５Ｃ図は、ステッププレート及びクランププレートにおけるそれぞれ第２Ａ図、第３Ａ図、第４Ａ図の中央断面図である。
第６図は、第１Ａ図のディスクプレーヤにおけるプレーヤ本体を示す裏面図である。
第７図は、第１Ａ図のステッププレート及びクランププレートを示す斜視図である。
第８Ａ図及び第８Ｂ図は、第１Ｂ図及び第５Ａ図のＲカムプレート及びＬカムプレートを示す斜視図である。
第９Ａ図〜第９Ｄ図は、第６図のＲカムプレートのロック機構におけるロック解除動作を示す作動図である。
【図１Ａ】
0004636772.tif 000002
【図１Ｂ】
0004636772.tif 000003
【図２Ａ】
0004636772.tif 000004
【図２Ｂ】
0004636772.tif 000005
【図３Ａ】
0004636772.tif 000006
【図３Ｂ】
0004636772.tif 000007
【図４Ａ】
0004636772.tif 000008
【図４Ｂ】
0004636772.tif 000009
【図５Ａ】
0004636772.tif 000010
【図５Ｂ】
0004636772.tif 000011
【図５Ｃ】
0004636772.tif 000012
【図６】
0004636772.tif 000013
【図７】
0004636772.tif 000014
【図８Ａ】
0004636772.tif 000015
【図８Ｂ】
0004636772.tif 000016
【図９Ａ】
0004636772.tif 000017
【図９Ｂ】
0004636772.tif 000018
【図９Ｃ】
0004636772.tif 000019
【図９Ｄ】
0004636772.tif 000020